(57)【要約】      （修正有）【課題】様々な角度変化および異なる操作方法に対応し、操作精度を向上させるスタイラスを提供する。【解決手段】ペン本体部１は、操作端部１０を有する。ペン芯先端部２は、操作端部１０上に設けられ、ボールジョイント２０、接触部２１および弾性デバイス２２を有する。ボールジョイント２０は、ペン本体部１の操作端部１０から突出している。接触部２１は、ソケット２１０を設けている。弾性デバイス２２は、ソケット２１０と操作端部１０との間に設けられている。ボールジョイント２０は、弾性デバイス２２を介してソケット２１０に動くように接触している。ボールジョイント２０を設けることにより弾性デバイス２２がぐらつくことを防ぎ、操作精度を向上させることができる。また、弾性デバイス２２の長さを増加させてフレキシビリティを向上させることによりスムーズな操作ができる。【選択図】図６
0003195847.tif 000002
【実用新案登録請求の範囲】
【請求項１】
操作端部を有するペン本体部と、
前記操作端部上に設けられ、ボールジョイント、接触部および弾性デバイスを有し、前記ボールジョイントは前記ペン本体部の前記操作端部から突出し、前記接触部はソケットを設け、前記弾性デバイスは前記ソケットと前記操作端部との間に設けられ、前記ボールジョイントは前記弾性デバイスを介して前記ソケットに動くように接触しているペン芯先端部と、を含むことを特徴とするスタイラス。
【請求項２】
前記ペン本体部は、ペン状を呈していることを特徴とする請求項１に記載のスタイラス。
【請求項３】
前記ペン本体部は、筆記具を突設する筆記端部をさらに有することを特徴とする請求項１または２に記載のスタイラス。
【請求項４】
前記操作端部は、延伸部により前記ボールジョイントに接続している柱座を末端に延伸していることを特徴とする請求項１に記載のスタイラス。
【請求項５】
前記延伸部は、前記ボールジョイントに隣接する部分に環状凹溝を設けていることを特徴とする請求項４に記載のスタイラス。
【請求項６】
前記弾性デバイスは、前記柱座および前記ソケットの外側に嵌合していることを特徴とする請求項４に記載のスタイラス。
【請求項７】
前記柱座および前記ソケットは、それぞれネジ山を外側に設けていることを特徴とする請求項６に記載のスタイラス。
【請求項８】
前記弾性デバイスは、長さが５ｍｍ以上であることを特徴とする請求項１、６または７に記載のスタイラス。
【請求項９】
前記接触部は、円形または十字型を呈していることを特徴とする請求項１に記載のスタイラス。
【請求項１０】
前記ソケットは、ボールジョイントを動くように接触させる収納部を内部に有することを特徴とする請求項１に記載のスタイラス。
【考案の詳細な説明】
【技術分野】
【０００１】
本考案は、スタイラスに関し、特に、タッチパネルに用いられるスタイラスに関する。
【背景技術】
【０００２】
普及が日増しに進んでいるスマートフォンおよびタブレットＰＣの操作にタッチパネルが必須なものとなっている。抵抗膜方式であっても、静電容量方式であっても指先により操作されるタッチパネルが多いが、静電容量方式のタッチパネルは、指先とタッチパネルとの接触により生じる静電容量の変化でタッチ操作を行うものである。
【０００３】
使い勝手が向上するように、異なる機種のタッチパネルに対応するタッチペンが考案されているが、従来の静電容量方式のタッチペンで、例えば、特許文献１に開示されたタッチペンは、金属スプリングに接続した接触部がペン状を呈したペン本体部の末端に設けられ、金属スプリングに提供される弾性、導電などの効果により、手に握持されて操作されるのに利便性があった。
【０００４】
上記のタッチペンは、金属スプリングによりペン本体部および接触部にフレキシビリティが提供されるが、金属スプリングのぐらつきを制限する位置決め機構を持たぬため、金属スプリングを長めにしたり、変形の幅を大きめにしたりするのは構造的に困難であった。金属スプリング自体の弾性で変形の幅を大き過ぎた場合、操作上の精度に大きな悪影響を与えるおそれがあり、改善が待たれていた。
【先行技術文献】
【特許文献】
【０００５】
【特許文献１】台湾実用新案Ｍ４１８３３７号
【考案の概要】
【考案が解決しようとする課題】
【０００６】
本考案の第１の目的は、様々な角度変化および異なる操作方法に対応するスタイラスを提供することにある。
本考案の第２の目的は、操作精度を向上させるスタイラスを提供することにある。
【課題を解決するための手段】
【０００７】
上述の目的を達成するため、本考案は、スタイラスを提供する。本考案のスタイラスは、本体部およびペン芯先端部を含む。ペン本体部は、操作端部を有する。ペン芯先端部は、操作端部上に設けられ、ボールジョイント、接触部および弾性デバイスを有する。ボールジョイントは、ペン本体部の操作端部から突出している。接触部は、ソケットを設けている。弾性デバイスは、ソケットと操作端部との間に設けられている。ボールジョイントは、弾性デバイスを介してソケットに動くように接触している。ボールジョイントを設けることにより弾性デバイスがぐらつくことを防ぎ、操作精度を向上させることができる。また、弾性デバイスの長さを増加させてフレキシビリティを向上させることによりスムーズな操作ができる。
【考案の効果】
【０００８】
本考案のスタイラスは、ボールジョイントを設けることにより弾性デバイスがぐらつくことを防ぎ、操作精度を向上させることができる。また、弾性デバイスの長さを増加させてフレキシビリティを向上させることによりスムーズな操作ができ、様々な角度変化に対応するだけでなく、異なる操作方法にも対応することができる。
【図面の簡単な説明】
【０００９】
【図１】本考案の一実施形態によるスタイラスを示す斜視図である。
【図２】本考案のスタイラスの操作端部を示す分解斜視図である。
【図３】本考案のスタイラスの操作端部を示す斜視図である。
【図４】本考案のスタイラスの操作端部を示す断面図である。
【図５】タッチパネル上でのスタイラスの操作動作を示す斜視図である。
【図６】タッチパネル上でのスタイラスが斜めの角度で操作された状態を示す断面図である。
【図７】筆記端部を示す斜視図である。
【考案を実施するための形態】
【００１０】
以下、本考案の実施形態を図面に基づいて説明する。
【００１１】
図１〜３を参照する。図１は、本考案の一実施形態によるスタイラスを示す斜視図である。図２は、本考案のスタイラスの操作端部を示す分解斜視図である。図３は、本考案のスタイラスの操作端部を示す斜視図である。図１〜３に示すように、本実施形態のスタイラスは、ペン本体部１およびペン芯先端部２を含む。抵抗膜方式または静電容量方式のタッチパネル３（図５参照）に用いられ、握持しやすいようにペン状に加工され、タッチパネル３上で筆記動作により操作が行われる。
【００１２】
ペン本体部１は、ペン状を呈し、二つの端部を有する。一方の端部は、操作端部１０であり、もう一方の端部は、筆記端部１１である。これにより、ペン本体部１が把持しやすく、操作端部１０によりタッチパネル３上で筆記動作により操作が行われる（図５および図６参照）以外に、ペン本体部１の方向を筆記端部１１側に変えて筆記端部１１上に設けられた筆記具４により紙上でも筆記動作を行える（図７参照）ため、スタイラスの実用性を向上させることができる。
【００１３】
図２〜４を参照する。図４は、本考案のスタイラスの操作端部を示す断面図である。図２〜４に示すように、本考案における従来技術の改良は、主にペン芯先端部２の構造にある。ペン芯先端部２は、ペン本体部１の操作端部１０上に設けられ、ボールジョイント２０、接触部２１および弾性デバイス２２を含む。ボールジョイント２０は、ペン本体部１の操作端部１０突出している。操作端部１０は、柱座１００を末端に延伸している。ボールジョイント２０は、延伸部２００により柱座１００に接続している。延伸部２００は、延伸部２００とボールジョイント２０とが互いに接触する部分の外径を縮小するために、ボールジョイント２０に隣接する部分に環状凹溝２０１を設けている。これにより、ボールジョイント２０は、多き間の球形表面を維持することができる。接触部２１は、円形（図示せず）または十字型を呈してもよく、十字型の形態において正解なポイント効果を提供し、正確な位置をポイントすることができる。接触部２１は、収納部２１１を内部に有するソケット２１０を設けている。弾性デバイス２２は、ソケット２１０と操作端部１０との間に設けられ、ボールジョイント２０をソケット２１０に動くように接触できるようにしている。弾性デバイス２２は、さらに柱座１００およびソケット２１０の外側に嵌合させてもよい。また、柱座１００およびソケット２１０の外側には、それぞれネジ山を設けて弾性デバイス２２の嵌合時の結合を強化することができる。以上の構造によりタッチパネルの改良を実現することができる。
【００１４】
図５および図６を参照する。図５は、タッチパネル上でのスタイラスの操作動作を示す斜視図である。図６は、タッチパネル上でのスタイラスが斜めの角度で操作された状態を示す断面図である。図５および図６に示すように、本考案のスタイラスをタッチパネル３上で操作する際は、ペン本体部１を把持し、通常の筆記動作によりペン本体部１を操作して接触部２１をタッチパネル３上の必要な位置にタッチしたり、ドラッグしたりする。手でペン本体部１を操作する過程で、ボールジョイント２０は、弾性デバイス２２を介して接触部２１上でタッチパネル３をタッチする位置に力を加えるとともに、弾性デバイス２２のぶれを減少させて操作上の精度を向上させることができる。また、弾性デバイス２２は、ペン本体部１および接触部２１の傾斜角度に合わせて弾性を持ちつつ変形することができる。これにより、操作時に良好な柔軟性を提供し、様々な角度変化に対応し、異なる操作方法にも対応することができる。
【００１５】
構造上において、ペン芯先端部２の弾性デバイス２２の長さは、５ｍｍ以上であることが好適である。また、延伸部２００の長さを増加させることにより、ボールジョイント２０ソケット２１０との距離を補うことができる。
【００１６】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１７】
１      ペン本体部
２      ペン芯先端部
３      タッチパネル
４      筆記具
１０    操作端部
１１    筆記端部
２０    ボールジョイント
２１    接触部
２２    弾性デバイス
１００  柱座
２００  延伸部
２０１  環状凹溝
２１０  ソケット
２１１  収納部
【図１】
0003195847.tif 000003
【図２】
0003195847.tif 000004
【図３】
0003195847.tif 000005
【図４】
0003195847.tif 000006
【図５】
0003195847.tif 000007
【図６】
0003195847.tif 000008
【図７】
0003195847.tif 000009